(57)【特許請求の範囲】
【請求項１】
携帯電話基地局が携帯端末と通信する携帯電話信号の無線通信信号を光信号に変換し、光ファイバケーブルで接続される親局と子局との間で中継伝送するＲＯＦシステムにおいて、
入力される前記無線通信信号を平均光出力レベルが一定である光信号にして前記光ファイバを介して送信する光送信器と、
前記光ファイバケーブルを介して受信する前記光信号を変換した電気信号の平均レベルを利得調整信号として出力するモニタ手段と、前記光信号の無線通信信号を増幅する利得が調整可能な可変利得増幅手段と、入力される前記利得調整信号をサンプルホールドして前記可変利得増幅器に出力する制御電圧保持手段と、前記モニタ手段へ供給する電力のスイッチ、および内部タイマを参照して自装置に給電開始されたタイミングから所定の時間に前記制御電圧保持手段にサンプルホールドを行う制御と前記サンプルホールドの出力が済むまでの間前記スイッチをＯＮにする制御とを行う監視制御手段とを備える光受信器とを
前記親局と前記子局とがそれぞれ具備する
ことを特徴とするＲＯＦシステム。
【請求項２】
携帯電話基地局が携帯端末と通信する携帯電話信号の無線通信信号を光信号に変換し、光ファイバケーブルで接続される親局と子局との間で中継伝送するＲＯＦシステムにおいて、
入力される前記無線通信信号を平均光出力レベルが一定である光信号にして前記光ファイバを介して送信する光送信器と、
前記光ファイバケーブルを介して受信する前記光信号を変換した電気信号の平均レベルを利得調整信号として出力するモニタ手段と、前記光信号の無線通信信号を増幅する利得が調整可能な可変利得増幅手段と、入力される前記利得調整信号をサンプルホールドして前記可変利得増幅器に出力する制御電圧保持手段と、前記モニタ手段へ供給する電力のスイッチと、監視制御信号を受信して監視・制御に係わるコマンドを出力する監視制御信号入力手段と、内部タイマを参照して前記監視制御信号手段からポーリングコマンド、又は、自装置のリセットコマンドが入力されたタイミングから所定の時間に前記制御電圧保持手段にサンプルホールドを行う制御と前記サンプルホールドされるまでの間前記スイッチをＯＮにする制御とを行う監視制御手段とを備える光受信器とを
前記親局と前記子局とがそれぞれ具備する
ことを特徴とするＲＯＦシステム。
【請求項３】
前記光送信器は、
前記無線通信信号に前記コマンドを含む監視制御信号が多重された光信号を前記送信し、
前記監視制御信号入力手段は、
前記受信する前記光信号から前記多重された前記監視制御信号を分離出力することにより前記コマンドを出力することを特徴とする請求項２記載のＲＯＦシステム。
【請求項４】
前記監視制御信号入力手段は、
自装置に接続されるオーダワイヤから受信する前記監視制御信号から前記コマンドを抽出して出力することを特徴とする請求項２記載のＲＯＦシステム。
【請求項５】
携帯電話基地局が携帯端末と通信する携帯電話信号の無線通信信号を光信号に変換し、光ファイバケーブルで接続される親局と子局との間で中継伝送するＲＯＦシステムで、入力される前記無線通信信号を平均光出力レベルが一定である光信号にして送信する光送信器から送信される前記光信号を前記光ファイバを介して受信する光受信器であって、
前記受信する前記光信号を変換した電気信号の平均レベルを利得調整信号として出力するモニタ手段と、前記光信号の無線通信信号を増幅する利得が調整可能な可変利得増幅手段と、入力される前記利得調整信号をサンプルホールドして前記可変利得増幅器に出力する制御電圧保持手段と、前記モニタ手段へ供給する電力のスイッチ、および内部タイマを参照して自装置に給電開始されたタイミングから所定の時間に前記制御電圧保持手段にサンプルホールドを行う制御と前記サンプルホールドの出力が済むまでの間前記スイッチをＯＮにする制御とを行う監視制御手段とを備える
ことを特徴とするＲＯＦシステムの光受信器。
【請求項６】
携帯電話基地局が携帯端末と通信する携帯電話信号の無線通信信号を光信号に変換し、光ファイバケーブルで接続される親局と子局との間で中継伝送するＲＯＦシステムで、入力される前記無線通信信号を平均光出力レベルを一定にして送信する光送信器から送信される前記光信号を前記光ファイバを介して受信する光受信器であって、
前記受信する前記光信号を変換した電気信号の平均レベルを利得調整信号として出力するモニタ手段と、前記光信号の無線通信信号を増幅する利得が調整可能な可変利得増幅手段と、入力される前記利得調整信号をサンプルホールドして前記可変利得増幅器に出力する制御電圧保持手段と、前記モニタ手段へ供給する電力のスイッチと、監視制御信号を受信して監視・制御に係わるコマンドを出力する監視制御信号入力手段と、内部タイマを参照して前記監視制御信号手段からポーリングコマンド、又は、自装置のリセットコマンドが入力されたタイミングから所定の時間に前記制御電圧保持手段にサンプルホールドを行う制御と前記サンプルホールドされるまでの間前記スイッチをＯＮにする制御とを行う監視制御手段とを備える
ことを特徴とする光受信器。
【請求項７】
携帯電話基地局が携帯端末と通信する携帯電話信号の無線通信信号を光信号に変換し、光ファイバケーブルで接続される親局と子局との間で中継伝送するＲＯＦシステムで、入力される前記無線通信信号と前記無線通信信号に監視・制御に係わるコマンドを含む監視制御信号が多重された光信号の平均光出力レベルを一定にして送信する光送信器から送信される前記光信号を前記光ファイバを介して受信する光受信器であって、
前記受信する前記光信号を変換した電気信号の平均レベルを利得調整信号として出力するモニタ手段と、前記光信号の無線通信信号を増幅する利得が調整可能な可変利得増幅手段と、入力される前記利得調整信号をサンプルホールドして前記可変利得増幅器に出力する制御電圧保持手段と、前記モニタ手段へ供給する電力のスイッチと、受信する前記光信号から前記多重された前記監視制御信号を分離出力することにより前記コマンドを出力する監視制御信号入力手段と、
内部タイマを参照して前記監視制御信号入力手段からポーリングコマンド、又は、リセットコマンドが入力されたタイミングから所定の時間に前記制御電圧保持手段にサンプルホールドを行う制御と前記サンプルホールドされるまでの間前記スイッチをＯＮにする制御とを行う監視制御手段とを備える
ことを特徴とする光受信器。
【請求項８】
前記監視制御信号入力手段は、
自装置に接続されるオーダワイヤから受信する前記監視制御信号から前記コマンドを抽出して出力することを特徴とする請求項６記載の光受信器。
【請求項９】
親局と子局とがそれぞれ対向して通信する光送信器と監視制御手段を備える光受信器とを備え、携帯電話基地局が携帯端末と通信する携帯電話信号の無線通信信号を光信号に変換し、光ファイバケーブルで接続される親局と子局との間で中継伝送するＲＯＦシステムの自動調整方法において、
前記光送信器は、入力される前記無線通信信号を平均光出力レベルが一定である光信号にして前記光ファイバを介して送信し、
前記光ファイバケーブルを介して前記光信号を受信する前記光受信器は、
前記受信する前記光信号を変換した電気信号の平均レベルを利得調整信号としてサンプルホールド回路を介して前記光信号から変換された無線通信信号を増幅する可変利得増幅器へ出力し、
前記監視制御手段は、自装置が電源投入されたのち、所定の時間が経過後、前記サンプルホールド回路にそのタイミングでの利得調整信号を継続して前記可変利得増幅器に出力するとともに、前記受信する光信号の平均レベルを測定する回路への電源供給を断とする制御をおこなう
ことを特徴とするＲＯＦシステムの自動調整方法。
【請求項１０】
親局と子局とがそれぞれ対向して通信する光送信器と監視制御手段を備える光受信器とを備え、携帯電話基地局が携帯端末と通信する携帯電話信号の無線通信信号を光信号に変換し、光ファイバケーブルで接続される親局と子局との間で中継伝送するＲＯＦシステムの自動調整方法において、
前記光送信器は、入力される前記無線通信信号を平均光出力レベルが一定である光信号にして前記光ファイバを介して送信し、
前記光ファイバケーブルを介して前記光信号を受信する前記光受信器は、
前記受信する前記光信号を変換した電気信号の平均レベルから利得調整信号を生成してサンプルホールド回路を介して前記光信号から変換された無線通信信号を増幅する可変利得増幅器へ出力し、
前記利得調整信号を入力された前記可変利得増幅器は、前記光信号から変換された電気信号の前記無線通信信号を入力して前記利得調整信号に従った利得で増幅し、
前記監視制御手段は、ポーリングコマンド、又はリセットコマンドが入力された場合、前記コマンド入力後所定の時間が経過後、前記サンプルホールド回路にそのタイミングでの利得調整信号のレベルを継続して前記可変利得増幅器へ出力する制御と、それ以降前記利得調整信号を前記サンプルホールド回路へ出力する回路への電源供給を断とする制御とを行う
ことを特徴とするＲＯＦシステムの自動調整方法。
【請求項１１】
前記監視制御信号入力手段は、
自装置に接続されるオーダワイヤから受信する前記監視制御信号から前記コマンドを抽出して出力することを特徴とする請求項１０記載のＲＯＦシステムの自動調整方法。
【請求項１２】
親局と子局とがそれぞれ対向して通信する光送信器と監視制御手段を備える光受信器とを備え、携帯電話基地局が携帯端末と通信する携帯電話信号の無線通信信号を光信号に変換し、光ファイバケーブルで接続される親局と子局との間で中継伝送するＲＯＦシステムの自動調整方法において、
前記光送信器は、入力される前記無線通信信号と、前記子局の監視・制御に係わるコマンドを含む監視制御信号を多重した多重信号を生成し、その平均光出力レベルが一定である光信号にして前記光ファイバを介して送信し、
前記光ファイバケーブルを介して前記光信号を受信する前記光受信器は、
前記受信する前記光信号を変換した電気信号の平均レベルから利得調整信号を生成してサンプルホールド回路を介して可変利得増幅器へ出力する一方、前記電気信号を前記無線通信信号と前記監視信号とに分離し、
前記分離された前記無線通信信号を、前記入力される前記利得調整信号に制御されて増幅する前記可変利得増幅器へ入力して増幅するとともに前記監視信号を前記監視制御手段へ出力し、
前記監視制御手段は、ポーリングコマンド、又はリセットコマンドが入力された場合、前記コマンド入力後所定の時間が経過後、前記サンプルホールド回路にそのタイミングでの利得調整信号レベルを継続して前記可変利得増幅器へ出力する制御と、それ以降前記利得調整信号を前記サンプルホールド回路へ出力する回路への電源供給を切断する制御とを行う
ことを特徴とするＲＯＦシステムの自動調整方法。
【発明の詳細な説明】
【技術分野】
【０００１】
本発明は、携帯電話の無線通信信号を光信号に変換して親局と子局の間で中継伝送するＲＯＦ（Radio Over Fiber）システム、光受信器およびその自動調整方法に関する。
【背景技術】
【０００２】
近年、携帯電話システムの不感地対策、あるいは携帯電話基地局のカバーエリアの拡大等を目的として、携帯電話基地局とアンテナとの間を光ファイバケーブルにより無線通信信号を光信号に変換して伝送するＲＯＦ技術の適用が進んでいる。
【０００３】
光ファイバは伝送損失が小さいため数Ｋｍの範囲にわたって携帯電話端末との間で通信する子局を多数配置することが可能になる。
【０００４】
図５は、従来のＲＯＦシステム構成を示す系統図である。  
図５において、携帯電話基地局１００の近傍には、ＲＯＦシステムの親局２００と、子局給電装置３００が設置され、親局２００には携帯電話端末Ｔとの無線通信信号（以下、携帯電話信号と称する。）が上り／下り方向で接続される。また、上記各装置の監視制御信号も、携帯電話基地局１００側から親局２００及び子局給電装置３００の監視制御できるよう接続されている。
【０００５】
親局１００からは光ファイバ４００を介して子局装置５００（＃１〜＃ｎ）が接続されており、携帯電話信号は光信号に変換されて伝送されている。この光ファイバ４００は上り／下りを独立した２本で接続する場合も、波長多重により上下を一本の光ファイバで接続する場合もある。
【０００６】
子局５００は親局２００の近傍に設置された子局給電装置３００から電源ケーブル６００を介して給電される。最近のＲＯＦシステムは、大規模ビル、高層マンション等の屋内対策に代表されるような不感地対策として、子局数が数百におよぶようなシステム規模に至るものがある。消費電力が大きいとき、子局給電装置３００の大容量化が必要になり機器コストが多額になるのみでなく、常時運用する場合の電力消費の増大による運用コストが増加する。
【０００７】
また、地域的、もしくは建築物内で携帯電話端末Ｔの利用者が急増する場合、子局給電装置３００は、そのままで電源の容量内で子局５００が増設されるので、子局５００あたりの消費電力が少ないほど、増設の余裕が生まれる。このように、子局給電装置３００で複数の子局５００に対して電源供給する構成では、極力、各子局５００の運用状態での消費電力を削減し必要最低限の負荷状態として給電することが必要である。
【０００８】
一方、光ファイバケーブル４００の伝送経路は長短様々であり、伝送損失も子局毎に異なるため、子局５００の光送信器の光送信出力や、光受信器での自動利得調整などは、受信光から自動調整出来るような構成がとられる。ＲＯＦでは、光ファイバケーブル４００自体での伝送損失は頻繁に変化しないので、送信時には送信出力自動調整回路を動作させる一方、受信回路の自動利得回路の動作を停止し、受信時にのみ自動利得調整を行うとともに送信出力自動調整を停止することにより電源消費を減らす方法がとられている（例えば、特許文献１。）。
【０００９】
しかし、この方法では、光送信出力レベルや利得の自動調整回路のＯＮ−ＯＦＦ制御を行う回路が更に必要であり、制御が複雑になること、および節電効果が少ない問題が有った。
【特許文献１】特開平９−５５７０５号公報  （第６頁、第１図）
【発明の開示】
【発明が解決しようとする課題】
【００１０】
従来のＲＯＦシステムの子局の光送受信器における出力や利得の自動調整回路ではそれらのＯＮ−ＯＦＦ制御を行う回路が更に必要であり節電効果が少ないこと、また送受信が同時に行われる場合には自動調整回路の電源断が出来ない問題が有った。
【００１１】
本発明は上記問題を解決するためになされたもので電力消費を削減したＲＯＦシステム、光受信器、およびその自動調整方法を提供することを目的とする。
【課題を解決するための手段】
【００１２】
上記目的を達成するために、本発明のＲＯＦシステムは、携帯電話基地局が携帯端末と通信する携帯電話信号の無線通信信号を光信号に変換し、光ファイバケーブルで接続される親局と子局との間で中継伝送するＲＯＦシステムにおいて、入力される前記無線通信信号を平均光出力レベルが一定である光信号にして前記光ファイバを介して送信する光送信器と、前記光ファイバケーブルを介して受信する前記光信号を変換した電気信号の平均レベルを利得調整信号として出力するモニタ手段と、前記光信号の無線通信信号を増幅する利得が調整可能な可変利得増幅手段と、入力される前記利得調整信号をサンプルホールドして前記可変利得増幅器に出力する制御電圧保持手段と、前記モニタ手段へ供給する電力のスイッチ、および内部タイマを参照して自装置に給電開始されたタイミングから所定の時間に前記制御電圧保持手段にサンプルホールドを行う制御と前記サンプルホールドの出力が済むまでの間前記スイッチをＯＮにする制御とを行う監視制御手段とを備える光受信器とを前記親局と前記子局とがそれぞれ具備することを特徴とする。
【００１３】
また、本発明のＲＯＦシステムの光受信器は、携帯電話基地局が携帯端末と通信する携帯電話信号の無線通信信号を光信号に変換し、光ファイバケーブルで接続される親局と子局との間で中継伝送するＲＯＦシステムで、入力される前記無線通信信号を平均光出力レベルが一定である光信号にして送信する光送信器から送信される前記光信号を前記光ファイバを介して受信する光受信器であって、前記受信する前記光信号を変換した電気信号の平均レベルを利得調整信号として出力するモニタ手段と、前記光信号の無線通信信号を増幅する利得が調整可能な可変利得増幅手段と、入力される前記利得調整信号をサンプルホールドして前記可変利得増幅器に出力する制御電圧保持手段と、前記モニタ手段へ供給する電力のスイッチ、および内部タイマを参照して自装置に給電開始されたタイミングから所定の時間に前記制御電圧保持手段にサンプルホールドを行う制御と前記サンプルホールドの出力が済むまでの間前記スイッチをＯＮにする制御とを行う監視制御手段とを備えることを特徴とする。
【００１４】
さらに、本発明のＲＯＦシステムの自動調整方法は、親局と前記子局とがそれぞれ対向して通信する光送信器と監視制御手段を備える光受信器とを備え、携帯電話基地局が携帯端末と通信する携帯電話信号の無線通信信号を光信号に変換し、光ファイバケーブルで接続される親局と子局との間で中継伝送するＲＯＦシステムの自動調整方法において、前記光送信器は、入力される前記無線通信信号を平均光出力レベルが一定である光信号にして前記光ファイバを介して送信し、前記光ファイバケーブルを介して前記光信号を受信する前記光受信器は、前記受信する前記光信号を変換した電気信号の平均レベルを利得調整信号としてサンプルホールド回路を介して前記光信号から変換された無線通信信号を増幅する可変利得増幅器へ出力し、前記監視制御手段は、自装置が電源投入されたのち、所定の時間が経過後、前記サンプルホールド回路にそのタイミングでの利得調整信号を継続して前記可変利得増幅器に出力するとともに、前記受信する光信号の平均レベルを測定する回路への電源供給を断とする制御をおこなうことを特徴とする。
【発明の効果】
【００１５】
本発明によれば、電力消費を削減したＲＯＦシステム、光受信器、およびその自動調整方法を提供することが出来る。
【発明を実施するための最良の形態】
【００１６】
以下、図面を参照して本発明の実施例を説明する。
【実施例１】
【００１７】
図１は、本発明の実施例１に係わるＲＯＦシステムの構成を説明する系統図である。  
以下、図１を参照して、本発明の実施例１に係わるＲＯＦシステムの構成と動作概要を説明する。図１に示されるＲＯＦシステムは、親局と子局が対向する光ファイバケーブルによる光信号の中継伝送装置を、複数備えることは従来のＲＯＦシステムと同様であるが、以下に説明する自動調整の手段、方法が異なっている。以下、従来例と同様な点は説明を省略する。
【００１８】
図１に置いて、ＲＯＦシステムは、携帯電話基地局１０との間で授受される上り、下りの回線の無線通信信号である携帯電話信号を光信号に変換する親局２０と、光ファイバケーブル４０と、親局２０との間で光ファイバケーブル４０を介して通信する子局５０と、および子局５０へ電力を給電する子局給電装置３０と電源ケーブル６０とを備えている。
【００１９】
親局２０と子局は、それぞれ、光送信器ＯＳと、光受信器ＯＲとを備え対向する光送信器ＯＳと、光受信器ＯＲとの間で携帯電話信号を光信号に変換して送受信を行う。本実施例１では、光送信信号は、光送信器ＯＳで高周波の無線通信信号を光強度変調した光信号を送信する。
【００２０】
子局５０では、光受信器ＯＲが下り回線の光信号を電気信号に復元してアンテナＡＮから携帯電話端末へ電波を送信し、上り回線では、受信した電波を光送信器ＯＳが光信号に変換して光ファイバケーブル４０を介して親局２０へ送信する。
【００２１】
両局の光受信器ＯＲでは、光ファイバケーブル４０を伝搬中に減衰した光信号のレベルに応じて利得を調整するため、通信相手の光送信器ＯＳとの間で、フィードフォワードによる自動利得調整を行う。すなわち、光送信器ＯＳは、予め設定された平均光強度で無線通信信号が変調された光信号を送信し、光受信器ＯＲは、受信する光強度の平均値を測定し、光信号を電気信号に復調した時のレベルが所定の平均信号レベルになるように自動利得調整を行う。
【００２２】
送信側の無線通信信号は、予め所定の平均信号レベルになって光送信器ＯＲへ入力されるため送信側では光信号の出力の自動調整は行わないので回路規模も小さくまた消費電力も少なくて済む。
【００２３】
このフィードフォワード処理は、上り回線下り回線でも同様に行われ、以下では、子局５０の動作処理について光受信器ＯＲを中心説明する。
【００２４】
図２は、光受信器ＯＲの動作を説明する機能ブロック図である。  
図２において、子局５０の光受信器ＯＲは、フォトダイオード１、前置増幅器２、バイアス・電流モニタ回路３、モニタ電流増幅回路４、光入力断検出回路５、監視制御部６、利得・レベル調整回路７、制御電圧保持回路８、ＲＦ可変利得増幅器９、電力増幅器（以下、ＰＡと記す。）１９、スイッチ（以下、ＳＷと記す。）１１と電源供給部１２とを備えている。
【００２５】
上記の各構成の増幅回路や監視制御部等は、電源供給部１２から電力が供給されるが、利得レベル調整回路７へは、ＳＷ１１を介して、ＳＷ１１がＯＮの間のみ供給される。
【００２６】
フォトダイオード１は、光ファイバ４０から受信した光信号を電気信号に変換して出力する。前置増幅器２は、フォトダイオード１の電気信号出力の高周波の無線通信信号を増幅し、その出力はＲＦ可変利得増幅器９へ入力される。
【００２７】
また、バイアス・電流モニタ回路３は、フォトダイオード１によって電気信号に変換された信号の平均出力レベルをさらに直流レベル信号に変換したモニタ信号として出力する。バイアス・電流モニタ回路３が出力したモニタ信号は、監視制御用途の信号としてモニタ電流増幅回路４で増幅され、その一方は、光入力断検出回路５を介して受信レベルを監視して子局の監視等を制御する監視制御部６へ入力される。
【００２８】
また、モニタ電流増幅回路４の出力の他方は利得・レベル調整回路７へ入力される。レベル調整回路７は、入力されたモニタ信号のレベルに対応して光ファイバケーブル４０での減衰を補償する為の予め設定された調整電圧を生成し、制御電圧保持回路８を介してＲＦ可変利得増幅器９へ出力する。
【００２９】
この制御電圧保持回路８の出力レベルによって前置増幅器２から入力される電気信号を増幅するＲＦ可変利得増幅器９の利得を調整するフィードフォワード処理が行われる。ＲＦ可変利得増幅器９の出力は、さらにＰＡ１９によって所定の電力に増幅されてアンテナＡＮへ出力される。
【００３０】
従来のＲＯＦシステム等の光信号の中継伝送は、光ファイバケーブル伝搬中の減衰を補正するため、本来の無線通信信号の帯域外にパイロット信号を重畳させて送信し、受信側でそのパイロット信号のレベルの再生レベルが所定のレベルになるようフィードバック制御により光受信器の自動利得調整を行っている。
【００３１】
しかし、ＲＯＦシステムでは、光ファイバケーブル自身の減衰特性は、頻繁に変化しないし、また光送信器の出力も平均値が一定の値に抑えられるので、常時フィードバックを行って自動利得調整をしなくても、再生された受信出力レベルは、変動しない。従って、本実施例１は、電源投入直後にフィードフォワード制御による利得を維持する設定をしてそれ以降は自動制御を行わないことにより電源消費を抑えている。
【００３２】
図３は、光受信器ＯＲの動作手順を示すフローチャートである。  
以下、図２と図３を参照しながら、本実施例１の自動制御手順を説明する。  
子局給電装置３０から電源が供給され、光受信器ＯＲの電源供給部１２の電源が入り（ステップｓ１）所定の電圧になると光受信器ＯＲの各構成は動作を開始し、監視制御部６は、内部タイマ（図示せず。）を起動すると共にＳＷ１１をＯＮにする（ステップｓ２）。
【００３３】
モニタ電流増幅回路４で増幅されたモニタ電流は、利得・レベル調整回路７によりモニタ電流のレベルに対応した所定の利得・レベル制御電圧に変換して出力され（ステップｓ３）、制御電圧保持回路８を介してＲＦ可変利得増幅器９への利得が設定される（ステップｓ４）フィードフォワード処理が行われる。
【００３４】
監視制御部６は、内部タイマを参照して利得設定が安定に終了する所定の時間ｔ１（ここでは、２秒とする。）が経過する（ステップｓ５がｙｅｓ）と、パルス状のサンプル制御信号を制御電圧保持回路８へ出力する（ステップｓ６）。
【００３５】
制御電圧保持回路８は、サンプルホールド回路であって、２秒後のサンプル制御信号を受信したタイミングに、例えば、１．５Ｖの利得・レベル制御電圧が利得・レベル調整回路７から入力されているとすれば、それ以降１．５Ｖが、そのまま維持されてＲＦ可変利得増幅器９へ供給され続ける。ＲＦ可変利得増幅器９は、この１．５Ｖのレベル制御電圧に対応する、例えば、５５．５ｄｂの増幅度で前置増幅器２から入力される無線通信信号を増幅する。
【００３６】
監視制御部６は、サンプルホールド処理が終了後（例えば、２．５秒後）、電源制御信号をＳＷ１１に入力してＳＷ１１をＯＦＦにする（ステップｓ７）。そして利得・レベル調整回路７は、動作を停止し電力消費が少なく抑えられる。
【実施例２】
【００３７】
図４は、本発明の実施例２に係わるＲＯＦシステムの構成を説明する系統図である。  
実施例２に係わるＲＯＦシステムでは、フィードフォワード処理による自動利得調整が当該子局５０に対してポーリング、または、リセットが行われたタイミングで実施するものである。
【００３８】
実施例２は、実施例１に比べて、図示されない監視センターが在る親局２０側からポーリングやリセットのコマンドを含む監視制御信号が、無線通信信号と多重された光信号にされて送信されるか、または、監視センターからＯＷ（オーダワイヤ）等によって送信される監視制御信号を受信して関し制御部へ出力する監視信号処理部６−１を備えていることが異なる。
【００３９】
光受信器ＯＲでは、光信号を無線通信信号と監視制御信号との電気信号に復元する変換を行い、更に監視制御信号からポーリングやリセットコマンドを分離出力する。
【００４０】
動作手順においては、図３のフローチャートにおいて、ステップ１の「電源入」を、「ポーリング受信」又は、「リセット受信」に読み替えれば良く、それ以外は、実施例１と同様である。
【００４１】
また、実施例２では、更にＳＷ１１がモニタ電流増幅回路４と光入力断検出回路５との電源のＯＮ−ＯＦＦを行うので、節電効果が実施例１よりも更に大きくなる。
【００４２】
以上説明した如く、本発明によるＲＯＦシステムでは、光受信器ＯＲの自動利得調整を動作開始のタイミング時点のみで行い、それ以降は、自動利得調整に係わる回路の電源をＯＦＦにすることにより、電源消費を少なくすることが出来る。
【図面の簡単な説明】
【００４３】
【図１】本発明の実施例に係わるＲＯＦシステムの系統図。
【図２】本発明の実施例に係わるＲＯＦシステムの光受信器の動作を説明する機能ブロック図。
【図３】本発明の実施例に係わるＲＯＦシステムの光受信器の動作手順を示すフローチャート。
【図４】本発明の実施例２に係わるＲＯＦシステムの光受信器の動作を説明する機能ブロック図。
【図５】従来のＲＯＦシステム構成を示す系統図。
【符号の説明】
【００４４】
１  フォトダイオード
１１  スイッチ（ＳＷ）
１２  電源供給部
１９  電力増幅器（ＰＡ）
２  前置増幅器
３  バイアス・電流モニタ回路
４  モニタ電流増幅回路
５  光入力断検出回路
６  監視制御部
７  利得・レベル調整回路
８  制御電圧保持回路
９  ＲＦ可変利得増幅器
１０  携帯電話基地局
２０  親局
３０  子局給電装置
ＯＲ  光受信器
ＯＳ  光送信器
４０  光ファイバケーブル
５０  子局
６０  電源ケーブル
【図１】
0004772596.tif 000002
【図２】
0004772596.tif 000003
【図３】
0004772596.tif 000004
【図４】
0004772596.tif 000005
【図５】
0004772596.tif 000006